(57)【要約】【課題】比重の異なる被荷役物毎に収容部の容積を変更可能で効率良く荷役作業を行うことができるオレンジピールバケットの提供。【解決手段】移動自在に吊り下げられたフレーム２と、フレームの下部に放射状に配置されたアーム支持部３，３…と、アーム支持部３に上下方向に回動自在に枢支された複数の作業アーム４，４…と、各作業アーム４，４…の先端部に配置されバケット閉鎖時に先端部が互いに突き合わされて椀状の収容部を形成する三角形状の爪部５と、各作業アーム４を回動させる動作手段とを備えたオレンジピールバケット２０において、爪部５に着脱可能に取り付けられ、爪部５を先端側に延長させる容積変化用アタッチメント２１を備える。【選択図】    図１
2004315167.tif 000002
【特許請求の範囲】
【請求項１】
移動自在に吊り下げられたフレームと、該フレームの下部に放射状に配置されたアーム支持部と、該アーム支持部に上下方向に回動自在に枢支された複数の作業アームと、該各作業アームの先端部に配置されバケット閉鎖時に先端部が互いに突き合わされて椀状の収容部を形成する三角形状の爪部と、前記各作業アームを回動させる動作手段とを備えたオレンジピールバケットにおいて、
前記爪部に着脱可能に取り付けられ、該爪部を先端側に延長させる容積変化用アタッチメントを備えたことを特徴としてなるオレンジピールバケット。
【請求項２】
容積変化用アタッチメントは、爪部の先端が挿入される爪先部材と、爪部の側縁部に配置され、該側縁部を外側に延長させる拡爪板とを備えた請求項１に記載のオレンジピールバケット。
【請求項３】
拡爪板は、その外側縁がバケット閉鎖時に隣り合う拡爪板の外側縁と互いに突き合わされるように形成された請求項２に記載のオレンジピールバケット。
【請求項４】
拡爪版は、その外側縁とバケット閉鎖時に隣り合う拡爪板の外側縁との間に間隙を有するように形成された請求項２に記載のオレンジピールバケット。
【発明の詳細な説明】
【０００１】
【発明の属する技術分野】
本発明は、細かいスクラップから大塊鉱石等の大きなものに至るまで幅広い荷役に適したオレンジピールバケットに関する。
【０００２】
【従来の技術】
従来、ルーズスクラップやプレススクラップ等の形状の不安定な物、大塊鉱石等の形状の大きいもの、車輌等の粗大ゴミ、タイヤチップ等の比重の軽い物等、様々なものの荷役作業に図９、図１０に示す如きオレンジピールバケットが使用されている。
【０００３】
このようなオレンジピールバケット１は、クレーン等の荷役作業用機械により移動自在に吊り下げられたフレーム２と、フレーム２の下部に放射状に配置されたアーム支持部３，３…と、アーム支持部３に上下方向に回動自在に枢支された複数の作業アーム４，４…と、各作業アーム４，４…の先端部に配置された三角形状の爪部５と、各作業アーム４，４…を回動させる動作手段とを備え、動作手段を作動させ各作業アーム４，４を上下方向に回動させることによってバケット６の開閉を行うようになっている。
【０００４】
フレーム２は、多角柱の箱状に形成され、その下端部外側面に所定角度毎に一対の支持板７，７からなるアーム支持部３，３…が形成されている。
【０００５】
作業アーム４は、先端側が湾曲した形状に形成され、基端部が支持板７，７間に挟まれた状態で枢支軸８を貫通させることにより、上下方向に回動自在に枢支されている。
【０００６】
この作業アーム４の先端側の湾曲した部分の内側には、三角形状の爪部５が一体に形成されており、バケット閉鎖時にはこの爪部５の先端部が互いに突き合わされて椀状の収容部を形成し、この収容部にスクラップ等の被荷役物を収容して荷役作業を行うようになっている。
【０００７】
動作手段は、フレーム２に内蔵された油圧ユニットと、該油圧ユニットにより動作される開閉用油圧シリンダー９，９…とを備え、開閉用油圧シリンダー９の一端をフレーム２上端部の外側面に、他端を作業アーム４の外側部にそれぞれ枢支させ、この油圧シリンダー９を伸縮させることにより各作業アーム４を上下方向に回動させるようになっている。
【０００８】
【発明が解決しようとする課題】
しかし、上述のような従来の技術では、タイヤチップ等の比重の軽い被荷役物及びインゴット、鉄塊等の比重の重い被荷役物のどちらを荷役する場合であっても、オレンジピールバケットにより収容できる容積は同じであるため、比重の軽い被荷役物を荷役する場合には、比重の重い被荷役物を荷役する場合に比べてクレーン等の荷役機械が荷役能力を温存した状態で作業が行われるので、作業効率が悪いという問題があった。
【０００９】
本発明は、このような従来の技術の状況を鑑み、比重の異なる被荷役物毎に収容部の容積を変更可能で効率良く荷役作業を行うことができるオレンジピールバケットの提供を目的とする。
【００１０】
【課題を解決するための手段】
上述の如き従来の問題を解決し、所期の目的を達成するための請求項１に記載のオレンジピールバケットは、移動自在に吊り下げられたフレームと、該フレームの下部に放射状に配置されたアーム支持部と、該アーム支持部に上下方向に回動自在に枢支された複数の作業アームと、該各作業アームの先端部に配置されバケット閉鎖時に先端部が互いに突き合わされて椀状の収容部を形成する三角形状の爪部と、前記各作業アームを回動させる動作手段とを備えたオレンジピールバケットにおいて、前記爪部に着脱可能に取り付けられ、該爪部を先端側に延長させる容積変化用アタッチメントを備えたことを特徴とする。
【００１１】
このように構成することによって、バケットの掴み容積、即ち各爪部により形成される収容部の容積を変更可能とし、被荷役物の比重に合わせてクレーン等の荷役機械の能力を十分に活用して効率良く荷役作業を行うことができる。
【００１２】
請求項２に記載の発明は、請求項１の構成に加え、容積変化用アタッチメントが、爪部の先端が挿入される爪先部材と、爪部の側縁部に固定され、該側縁部を外側に延長させる拡爪板とを備えたことを特徴とする。
【００１３】
このように構成することによって、容積変化用アタッチメントを好適に着脱可能とすることができる。
【００１４】
請求項３に記載の発明は、請求項２の構成に加え、拡爪板が、その外側縁がバケット閉鎖時に隣り合う拡爪板の外側縁と互いに突き合わされるように形成されたことを特徴とする。
【００１５】
このように構成することによって、細かいスクラップや小塊鉱石等の小さな被荷役物に対し好適に対応することができる。
【００１６】
請求項４に記載の発明は、請求項２の構成に加え、拡爪板が、その外側縁とバケット閉鎖時に隣り合う拡爪板の外側縁との間に間隙を有するように形成されたことを特徴とする。
【００１７】
このように構成することによって、爪部が入りにくい場合や、銑鉄や大塊鉱石等の比重の異なる比較的大きな被荷役物に対し好適に対応することができる。
【００１８】
【発明の実施の形態】
次に、本発明に係るオレンジピールバケットの実施の形態について説明する。尚、上述の従来例と同一の部分には、同一符号を付して説明を省略する。
【００１９】
図１はオレンジピールバケットを示し、このオレンジピールバケット２０は、図９、図１０に示す従来例と同様に、クレーン等の荷役作業用機械により移動自在に吊り下げられたフレーム２と、フレーム２の下部に放射状に配置されたアーム支持部３，３…と、アーム支持部３に上下方向に回動自在に枢支された複数の作業アーム４，４…と、各作業アーム４，４…の先端部に配置された三角形状の爪部５と、各作業アーム４，４…を回動させる動作手段とを備え、動作手段を作動させ各作業アーム４，４を上下方向に回動させることによってバケット６の開閉を行うようになっている。
【００２０】
フレーム２は、多角柱箱状に形成され、その下端部外側面に所定角度毎に一対の支持板７，７からなるアーム支持部３，３…が形成されている。
【００２１】
作業アーム４は、先端側が湾曲した形状に形成され、基端部が支持板７，７間に挟まれた状態で枢支軸８を貫通させることにより、上下方向に回動自在に枢支されている。
【００２２】
この作業アーム４の先端側の湾曲した部分の内側には、三角形状の爪部５が一体に形成されており、バケット閉鎖時にはこの爪部５の先端部が互いに突き合わされて椀状の収容部を形成し、この収容部にスクラップ等の被荷役物を収容して荷役作業を行うようになっている。
【００２３】
動作手段は、フレーム２に内蔵された油圧ユニットと、該油圧ユニットにより動作される開閉用油圧シリンダー９，９…とを備え、開閉用油圧シリンダー９の一端をフレーム２上端部の外側面に、他端を各作業アーム４の外側部にそれぞれ枢支させ、この油圧シリンダー９を伸縮させることにより各作業アーム４を上下方向に回動させるようになっている。
【００２４】
尚、油圧ユニットは、無線又は有線により命令信号を受信し、開閉用油圧シリンダー９を制御するようになっている
このオレンジピールバケット２０は、各爪部５，５…に容積変化用アタッチメント２１を着脱可能に取り付けることができ、このことによりバケットの掴み容積、即ち収容部の容積を増大することができるようになっており、被荷役物の比重に合わせて収容部の面積を変更することができるようになっている。
【００２５】
容積変化用アタッチメント２１は、図３〜図８に示すように、爪先部材２２と、拡爪板２３とを備え、爪先部材２２の取付け側端部内側に両拡爪板２３，２３が溶接等によってＶ字形に一体化され、爪部５に対し嵌め込むことによって容易に取り付けることができるようになっている。
【００２６】
爪先部材２２は、三角形状の先端部２４と、先端部２４に形成された三角形状の切欠２４ａと連続して形成された挿入支持部２５と、切欠の上面（内側面）を覆う内側補強板２６とを備え、先端部２４、挿入支持部２５及び内側補強板２６が溶接等によって一体に形成されている。
【００２７】
挿入支持部２５は、切欠２４ａの内縁と連続した一対の斜側板２７，２７と、斜側板２７と連続した側板２８，２８と、斜側板２７，２７及び側板２８，２８の外側縁に接続された底板２９とを備え、溶接等により箱状に一体化され、また、斜側板２７，２７の内側縁には、拡爪板２３，２３の裏面（外側面）が溶接等により固定されている。
【００２８】
拡爪板２３は、四角形状に形成され、爪先部材２２とは反対側の端部が爪部５に合わせて湾曲して形成され、その内側縁に取付部３０が一体に形成されている。
【００２９】
取付部３０には、間隔を隔ててボルト挿通孔３１，３１…が形成されており、爪部５に対し、図８に示すように、爪部５に固定されたボス３２を通して拡爪板２３及び爪部５を貫通してボルト３３を通し、爪部５の外側でナット３４を螺合させることによって、爪部５に対し拡爪部２３を取り付けるようになっている。
【００３０】
従って、この容積変化用アタッチメント２１を爪部５に取り付けるには、爪先部材２２の先端部２４の切欠２４ａ、挿入支持部２５及び内側補強板２６に囲まれた空間３５に爪部５の先端が挿入されるように爪部５に容積変化用アタッチメント２１を嵌め込み、その状態で拡爪板２３の取付部３０をボルト締めにより爪部５の内側面に取り付けることにより容易に行うことができ、逆に、ボルト３３を取り外すことによって、容積変化用アタッチメント２１が爪部５より容易に取り外すことができるようになっている。
【００３１】
このオレンジピールバケット２０は、比重の重い、例えば、インゴットや銑鉄等の荷役作業を行う際には、容積変化用アタッチメント２１を取り外した状態、即ち、図９、図１０に示す従来例と同様の状態で作業を行うことによって、所定の重量の荷役を行うことができる。
【００３２】
一方、比重の軽い、タイヤチップ等の荷役作業を行う場合には、各爪部５，５…に容積変化用アタッチメント２１，２１…を取付けることによって爪部５が先端側に延長され、この状態で、爪部の先端、即ち容積変化アタッチメント２１の爪先部材２２が突き合わされるため、バケットが膨らんだ状態となり、バケットの掴み容積、即ち収容部の容積がアタッチメント未装着時に比べ増大する。
【００３３】
従って、被荷役物の比重に応じて容積変化用アタッチメント２１を着脱し、収容部の容積を変更することによって、クレーン等の荷役機械の能力を十分に活用して効率良く荷役作業を行うことができる。
【００３４】
尚、上述の実施例では、細かいスクラップや小塊鉱石等の小さな被荷役物に対し好適に対応することができるように、拡爪板が、その外側縁がバケット閉鎖時に隣り合う拡爪板の外側縁と互いに突き合わされるように形成された例について説明したが、爪部が入りにくい場合や、銑鉄や大塊鉱石等の比重の異なる比較的大きな被荷役物に対し好適に対応することができるように、拡爪板を、その外側縁とバケット閉鎖時に隣り合う拡爪板の外側縁との間に間隙を有するように形成してもよい。
【００３５】
また、上述の実施例では、拡爪板が爪部に対しボルト締めにより取り付けられる例について説明したが、その他の取付け方法により取り付けるようにしてもよい。
【００３６】
【発明の効果】
上述のように、本発明に係るオレンジピールバケットは、バケットの掴み容積、即ち収容部の容積を、被荷役物の比重に合わせて変えることができ、クレーン等の荷役機械の能力を十分に活用して効率の良い荷役作業を行うことができる。
【図面の簡単な説明】
【図１】本発明に係るオレンジピールバケットを示す正面図である。
【図２】同上の底面図である。
【図３】図１中の容積変化用アタッチメントを示す上方より見た斜視図である。
【図４】同上の下方より見た斜視図である。
【図５】容積変化用アタッチメントの先端部分を示す部分拡大平面図である。
【図６】同上の部分拡大底面図である。
【図７】同上の部分拡大縦断面図である。
【図８】各爪板の取付け状態を示す部分拡大断面図である。
【図９】従来のオレンジピールバケットを示す正面図である。
【図１０】同上の底面図である。
【符号の説明】
２０  オレンジピールバケット
２１  容積変化用アタッチメント
２２  爪先部材
２３  拡爪板
２４  先端部
２４ａ  切欠
２５  挿入支持部
２６  内側補強板
２７  斜側板
２８  側板
２９  底板
３０  取付部
３１  ボルト挿通孔
３２  ボス
３３  ボルト
３４  ナット
３５  空間
【図１】
2004315167.tif 000003
【図２】
2004315167.tif 000004
【図３】
2004315167.tif 000005
【図４】
2004315167.tif 000006
【図５】
2004315167.tif 000007
【図６】
2004315167.tif 000008
【図７】
2004315167.tif 000009
【図８】
2004315167.tif 000010
【図９】
2004315167.tif 000011
【図１０】
2004315167.tif 000012